(57)【要約】【課題】分別対象の土壌を移送しながらリアルタイムで分析し、その分析結果に応じて対象土壌を汚染土壌と非汚染土壌とに分別する。分別される単位土壌量を少なくして、汚染土壌の処理に要するコストを著しく削減できる土壌分別装置を提供する。【解決手段】第１ホッパー１から連続して送出される土壌を、一定間隔置きに抽出して分析装置３で分析する。分析装置３で分析する間に、第１ホッパー１から送出の土壌を第２ホッパー２で一時的に貯留する。第２ホッパー２から送出の土壌は、分析装置３の分析結果に応じて仕分け装置５で仕分けして、汚染土壌用のストックヤード１９と、非汚染土壌用のストックヤード２０とに送出する。第２ホッパー２に貯留した土壌が排出し終わるまでの間、第１ホッパー１から送出の土壌を一時的に貯留する仮受体４を設けて、先行する土壌群と、後続する土壌群とが第２ホッパー２内で混じり合うのを防ぐ。以て、対象土壌は、分析装置３の分析に要する時間分だけ送出される土壌群ごとに分析して、汚染土壌と非汚染土壌とに連続して分別する。【選択図】図１
2006061851.tif 000002
【特許請求の範囲】
【請求項１】
分別対象の土壌を収容する第１ホッパー（１）と、
第１ホッパー（１）から連続して送出される土壌を一定間隔置きに抽出して分析し、有害物を含むか否かを判定する分析装置（３）と、
分析装置（３）の分析に要する時間を分別サイクル時間にして、第１ホッパー（１）から送出される土壌を分別サイクル時間が経過する間貯留できる第２ホッパー（２）と、
第２ホッパー（２）から送出される土壌を、汚染土壌用の用の第１ストックヤード（１９）と、非汚染土壌用の第２ストックヤード（２０）とのいずれか一方へ送出する仕分け装置（５）と、
第１ホッパー（１）と第２ホッパー（２）との間に配置されて、第２ホッパー（２）に貯留した土壌が排出し終わるまでの間、第１ホッパー（１）から送出される土壌を一時的に貯留する仮受体（４）と、
上記の各装置を制御する制御装置（６）とを備えており、
第１ホッパー（１）から連続して送出される分別対象の土壌を、分別サイクル時間分の送出土壌群ごとに分析して、汚染土壌と非汚染土壌とに分別することを特徴とする土壌分別装置。
【請求項２】
分析装置（３）が、溶出液が添加されたサンプル土壌を摩砕して、土壌組成物とその表面に付着した異物とを分離する偏心ミル（１１）と、偏心ミル（１１）で処理した分析液を分析する元素分析装置（１２）とで構成してある請求項１記載の土壌分別装置。
【請求項３】
第１ホッパー（１）から送出される土壌を、分別サイクル時間の開始時点で分析装置（３）に送り込む土壌抽出装置（１３）を備えている請求項２記載の土壌分別装置。
【請求項４】
第１ホッパー（１）と、仮受体（４）と、第２ホッパー（２）と、仕分け装置（５）とが、記載順に上から下へ配置されていて、
土壌を重力の作用で前記各部材へ記載順に送出できるようにした請求項３記載の土壌分別装置。
【請求項５】
第１ホッパー（１）と第２ホッパー（２）との間に、第１ホッパー（１）から送出された土壌を第２ホッパー（２）へ移送する第１コンベア（２５）が配置されており、
第１コンベア（２５）の中途部に、土壌抽出装置（１３）と分析装置（３）とが配置されており、
第１コンベア（２５）と第２ホッパー（２）との間に仮受体（４）が配置されており、
第２ホッパー（２）と仕分け装置（５）との間に、第２ホッパー（２）から送出された土壌を仕分け装置（５）へ移送する第２コンベア（２６）が配置されており、
仕分け装置（５）が正逆転可能なコンベアで構成してある請求項１または２または３記載の土壌分別装置。
【発明の詳細な説明】
【技術分野】
【０００１】
本発明は、土壌汚染が予想される場所の土壌を、汚染土壌と非汚染土壌とに分別するための土壌分別装置に関する。
【背景技術】
【０００２】
土壌汚染が予想される場所（以下、単に汚染場所という）には、汚染場所全体が有害物を含む汚染土壌で占められている場合や、有害物を含む汚染土壌と、有害物を含まない非汚染土壌とが混在している場合などがある。汚染土壌は、土壌の汚染状況に応じて有害物を分離除去する等により無害化して再利用するか、あるいは有害物の流出を防止できる処理を施して埋立処分するなど、何らかの処理を施す必要があり、いずれにしてもコストが嵩む。
【０００３】
上記のような土壌処理のためのコストを削減するために、汚染土壌と非汚染土壌とが混在する汚染場所では、汚染場所全体を一定面積（例えば縦横１０ｍ）に区分し、個々の区分ごとに土壌分析を行って、汚染土壌が含まれているか否かを判定していた。このような分別法では、たとえ各区分の複数箇所から土壌サンプルを抽出したとしても、汚染土壌と非汚染土壌とを充分に分別したことにはならない。例えば、非汚染土壌と判定された区分の土壌に有害物を含んでいることがある。また、汚染土壌と判定された区分の土壌の大半が非汚染土壌で占められる場合には、土壌処理に要するコストが無駄となる。
【０００４】
本発明では、分別対象の土壌を搬送しながら土壌の分析を行うが、この種の土壌分別手法は、例えば特許文献１に公知である。そこでの搬送途中の土壌は、有害な有機物を定量分析するレーザー誘起蛍光分析装置と、有害な無機物を定量分析するレーザー誘起発光分析装置と、有害な揮発性有機化合物の有無を検出するガスクロマトグラフィ質量分析装置とで分析して、多種多様な有害物の存在を検出している。
【０００５】
本発明では、土壌の分析を行う前に、溶出液が添加されたサンプル土壌を偏心ミルで摩砕して、土壌組成物とその表面に付着した異物とを分離するが、この種の偏心ミルは特許文献２に公知である。
【０００６】
【特許文献１】特開２００３−１０３２４４号公報（段落番号００２３、図１）
【特許文献２】特開２００２−５９０１８号公報（段落番号０００７、図２）
【発明の開示】
【発明が解決しようとする課題】
【０００７】
特許文献１の汚染土壌浄化装置は、分別対象の土壌を搬送しながら複数種の分析装置で分析して有害物の有無を特定し、分析結果に応じて汚染土壌をコンベアで対応する浄化装置へ搬送し浄化処理する。この汚染土壌浄化装置によれば、多種多様な有害物の存在を検出できるが、その分いくつもの高価な分析装置を常備する必要があるうえ、プラント全体が大掛りで導入コストが高く付く。有害物が検出された場合の、有害物を含む土壌とそうでない土壌との境界をどのようにして決定しているのかが不明である。複数種の有害物が前後して検出された場合に、土壌をどのように仕分けするのかも把握できない。
【０００８】
本発明の目的は、汚染場所から搬入した土壌を移送しながらリアルタイムで分析し、その分析結果に応じて分別対象の土壌を汚染土壌と非汚染土壌とに分別できる。しかも、分別される単位土壌量を少なくして、汚染土壌の処理に要するコストを著しく削減できる。そんな土壌分別装置を提供することにある。本発明の目的は、分別される単位土壌量を少なくすることにより汚染場所の分析精度を向上し、分別後の非汚染土壌に有害物が含まれること、あるいは分別後の汚染土壌に多量の非汚染土壌が含まれるのを極力阻止できる土壌分別装置を提供することにある。
【課題を解決するための手段】
【０００９】
本発明の分別装置は、図１に示すごとく分別対象の土壌を収容する第１ホッパー１と、第１ホッパー１から連続して送出される土壌を一定間隔置きに抽出して分析し、有害物を含むか否かを判定する分析装置３と、分析装置３の分析に要する時間を分別サイクル時間にして、第１ホッパー１から送出される土壌を分別サイクル時間が経過する間貯留できる第２ホッパー２と、第２ホッパー２から送出される土壌を、汚染土壌用の用の第１ストックヤード１９と、非汚染土壌用の第２ストックヤード２０とのいずれか一方へ送出する仕分け装置５と、第１ホッパー１と第２ホッパー２との間に配置されて、第２ホッパー２に貯留した土壌が排出し終わるまでの間、第１ホッパー１から送出される土壌を一時的に貯留する仮受体４と、上記の各装置を制御する制御装置６とを備えていて、第１ホッパー１から連続して送出される分別対象の土壌を、分別サイクル時間分の送出土壌群ごとに分析して、汚染土壌と非汚染土壌とに分別することを特徴とする。
【００１０】
分析装置３は、溶出液が添加されたサンプル土壌を摩砕して、土壌組成物とその表面に付着した異物とを分離する偏心ミル１１と、偏心ミル１１で処理した分析液を分析する元素分析装置１２とで構成する。
【００１１】
分別装置は、第１ホッパー１から送出される土壌を、分別サイクル時間の開始時点で分析装置３に送り込む土壌抽出装置１３を備えている。
【００１２】
第１ホッパー１と、仮受体４と、第２ホッパー２と、仕分け装置５とを、記載順に上から下へ配置して、土壌を重力の作用で前記各部材へ記載順に送出することができる。
【００１３】
第１ホッパー１と第２ホッパー２との間には、図３〜図５に示すごとく、第１ホッパー１から送出された土壌を第２ホッパー２へ移送する第１コンベア２５を配置し、第１コンベア２５の中途部に、土壌抽出装置１３と分析装置３とを配置し、第１コンベア２５と第２ホッパー２との間に仮受体４を配置し、第２ホッパー２と仕分け装置５との間に、第２ホッパー２から送出された土壌を仕分け装置５へ移送する第２コンベア２６を配置し、仕分け装置５を正逆転可能なコンベアで構成することができる。
【発明の効果】
【００１４】
本発明では、分別対象の土壌を第１ホッパー１から連続して送出しながら、並行して分析装置３で有害物の有無を検出し、分別サイクル時間分だけ、つまり分析装置３で分析を行うのに必要な時間分だけ、第１ホッパー１から送出される土壌群を第２ホッパー２で受け止めて一時保留して、第２ホッパー２で受け止めた土壌群ごとに、汚染土壌か非汚染土壌かをリアルタイムで分析するので、土壌の分別作業が連続して行える。
【００１５】
かかる本発明によれば、従来の分別形態に比べて、分別される単位土壌量を少なくでき、従って汚染場所の分析精度が向上し、分別後の非汚染土壌に有害物が含まれること、あるいは分別後の汚染土壌に多量の非汚染土壌が含まれることを極力阻止できる。分別サイクル時間で区分される土壌群ごとに分析し分別するので、土壌分析がより精密に行え、とくに分別後の汚染土壌に多量の非汚染土壌が含まれるのを回避して、汚染除去処理が必要な汚染土壌の量を減少でき、とくに汚染土壌と非汚染土壌とが混在する汚染場所における土壌の無害化処理に要するコストを著しく削減できる。
【００１６】
第１ホッパー１から送出される土壌を仮受体４で一時的に貯留して、第２ホッパー２に貯留した先行する土壌群と、後続する土壌群とが第２ホッパー２内で混じり合うのを防止するので、第１ホッパー１から分別対象の土壌を連続して送出しているにもかかわらず、分別サイクル時間ごとに区切られた土壌群が、汚染土壌であるか否かを明確に識別し、両者を区別した状態でストックできる。
【００１７】
偏心ミル１１と元素分析装置１２とで分析装置３を構成し、溶出液が添加されたサンプル土壌を偏心ミル１１で摩砕して、土壌組成物とその表面に付着の有害物とを強制的に分離すると、有害物が溶け込んだ分析液を短時間で速やかに形成できるので、サンプル土壌の抽出から、偏心ミル１１による分析液の調整を経て、元素分析装置１２による分析に至る一連の作業を短い時間で完了でき、その分だけ分別サイクル時間を短縮して、分別サイクル時間あたりの土壌送出量を減少できる。
【００１８】
第１ホッパー１から送出される土壌を、分別サイクル時間の開始時点で分析装置３に送り込む土壌抽出装置１３を設けてあると、サンプル土壌の抽出から分析に至る一連の作業を自動的に行え、分別サイクル時間の開始時点でサンプル土壌を抽出することにより、分別サイクル時間を最小限化して、分別サイクル時間あたりの土壌送出量を減少できる。
【００１９】
第１ホッパー１と、仮受体４と、第２ホッパー２と、仕分け装置５とが、記載順に上から下へ配置されていて、土壌を重力の作用で前記各部材へ記載順に送出できるようにした分別装置によれば、各行程間に土壌を移送するための手段、例えばコンベアなどを設ける必要がないので、分別装置の全体構造を簡素化し、その導入コストを削減化できる。分別装置を設置するための敷地面積も小さくて済む。
【００２０】
第１ホッパー１と第２ホッパー２との間に土壌移送用の第１コンベア２５を配置し、さらに第２ホッパー２と仕分け装置５との間に土壌移送用の第２コンベア２６を配置した分別装置によれば、分別装置を設置するための敷地面積は大きくなるものの、第１ホッパー１、分析装置３、第２ホッパー２、および仕分け装置５などを、余裕を持って低い位置に設置できるので、これらの機器の点検や補修、あるいは故障に伴う部品交換などを容易に行える。必要に応じて、第１コンベア２５や第２コンベア２６から移送経路を分岐することにより、第２ホッパー２、分析装置３、仮受体４、仕分け装置５などを比較的簡単に増設できるので、分別装置を設置した後でも、土壌の分別処理能力を比較的簡単に向上できる。
【発明を実施するための最良の形態】
【００２１】
（実施例１）  図１および図２は本発明に係る土壌分別装置の実施例１を示す。図１において土壌分別装置は、分別対象の土壌を収容する第１ホッパー１と、第１ホッパー１の下方に配置される第２ホッパー２と、第１ホッパー１から連続して送出されて来る土壌を一定間隔置きに抽出して分析し、有害物を含むか否かを判定する分析装置３と、第１ホッパー１と第２ホッパー３との間に配置される仮受体４と、第２ホッパー２の下方に配置される仕分け装置５と、これらの機器を制御する制御装置６とを含む。
【００２２】
第１ホッパー１は、例えば汚染場所から搬入した土壌を収容するために設けられており、その下面中央の出口に開閉可能なゲート８を設けてある。第１ホッパー１は、ダンプトラック数台分の土壌を収容することができる。分別装置が稼動しているとき、ゲート８は常時開放されており、ホッパー内に収容した分別対象の土壌は連続して送出される。
【００２３】
第２ホッパー２は、第１ホッパー１から送出されて来る土壌を分析装置３で分析し終わるまでの間、第１ホッパー１から送出の土壌を収容する。その下面中央の出口には開閉可能なゲート９を有する。このゲート９は、分析装置３の分析作業に関連して開閉操作される。
【００２４】
分析装置３は、偏心ミル１１と、偏心ミル１１で処理した分析液を分析する元素分析装置１２とで構成されている。第１ホッパー１の下方と偏心ミル１１との間には、偏心ミル１１に対してサンプル土壌を送り込むための土壌抽出装置１３が配置してある。土壌抽出装置１３は、第１ホッパー１から送出されて来る土壌の落下軌跡の内側と外側との間を往復変位して、分別対象の土壌群を代表するサンプル土壌を偏心ミル１１に送り込む。
【００２５】
偏心ミル１１は、外ドラム１５と、外ドラム１５の内部に偏心配置した内ドラム１６とを備えており、両ドラム１５・１６を互いに逆方向へ回転駆動することにより、サンプル土壌を摩砕する。詳しくは、サンプル土壌と薬液とを外ドラム１５内に投入した後、両ドラム１５・１６を互いに逆方向へ回転駆動して、サンプル土壌の組成物と、組成物の表面に付着した重金属などの有害物とを分離して、有害物が溶け込んだ分析液を形成する。
【００２６】
このように、土壌を偏心ミル１１で摩砕して土壌組成物の表面に付着の有害物を強制的に分離すると、有害物が溶け込んだ分析液を速やかに形成できるので、後述する分別サイクル時間を短縮できる。因みに、溶出液が加えられたサンプル土壌を振とう装置で振とうして分析液を調整する場合には、数時間もの時間が掛かり土壌の分別を連続して行うことはできない。
【００２７】
元素分析装置１２は、試料中の微量重金属イオンの定量分析方法のひとつであるストリッピングボルタンメトリー法を採用した高感度微量元素測定装置（ＴｒａｃｅＤｅｔｅｃｔ社、商品名Ｎａｎｏ−Ｂａｎｄ  Ｅｘｐｌｏｒｅｒ）を採用し、先の分析液中の金属イオンを電気的に電極表面に析出させ、析出した金属に逆の電位を与えて溶出させ、溶出するときの電圧を測定することにより、析出した金属を特定する。この分析装置によれば、ごく微量の重金属、例えば鉛、銅、亜鉛、カドミウム、ヒ素、セレン、水銀などを分析できる。図１において符号１４は、分析液に浸漬される分析用電極である。
【００２８】
本発明の分別装置は、偏心ミル１１による分析液の調整と、元素分析装置１２による分析とに要する時間を基準にして、この基準時間（以下、分別サイクル時間という）を一区切りにして土壌分析を行う。
【００２９】
詳しくは、図２（ｃ）に示すように、第１ホッパー１から送出された土壌の先頭部分から、少量のサンプル土壌を土壌抽出装置１３によって偏心ミル１１に送給し、分析液の調整と、元素分析装置１２による分析とを自動的に行いながら、分別サイクル時間が経過する間に第１ホッパー１から送出された土壌群ごとに、汚染土壌と非汚染土壌とを分別する。
【００３０】
いま、サンプル土壌の投入から元素分析装置１２による分析完了に至る一連の分析に要する時間を５分としたとき、分析開始から５分間が経過する間に第１ホッパー１から送出された土壌群ごとに、汚染土壌であるか否かを分別する。なお、５分間に第１ホッパー１から送出される土壌群の体積は、１台のダンプトラックから投入される土壌の体積の１５ないし２０％であり、汚染場所全体を縦横１０ｍの区画に区分して分析する場合に比べて、土壌の分析を精密に、しかも厳密に行うことができる。
【００３１】
仕分け装置５は、第２ホッパー２から送出される土壌を、分析装置３の分析結果に応じて汚染土壌用の第１ストックヤード１９と、非汚染土壌用の第２ストックヤード２０とのいずれか一方へ送出する。そのために、第２ホッパー２の出口に臨む通路内に仕切体２１を設け、仕切体２１を左傾動姿勢と右傾動姿勢とのいずれか一方に切り換え可能とすることにより、第２ホッパー２から送出の土壌の落下先が切り換えられるようにした。
【００３２】
仮受体４は、土壌抽出装置１３と第２ホッパー２との間に配置されて、分別サイクル時間ごとに区切られた土壌群の境界を明確化し、先行する土壌群と、後続する土壌群とが第２ホッパー２内で混じり合うのを防止する。先に説明したように、第１ホッパー１から送出の土壌は第２ホッパー２で受け止められて、分析装置３の分析結果が出るまでそこに貯留される。さらに、分析装置３の分析結果に応じてゲート９を開き、第２ホッパー２内の土壌を第１・第２のストックヤード１９・２０のいずれかへ送出する。第２ホッパー２内の土壌の送出時間をできるだけ短くするために、第２ホッパー２の出口の断面積は可能な限り大きく形成する。
【００３３】
この間に分析装置３は、次の分析サイクルに移行するが、第２ホッパー２は先行する土壌群の送出が終わるまで、ゲート９を閉じることができない。しかも、第１ホッパー１内の土壌は連続して送出されている。そこで、図２（ｃ）・（ｄ）に示すように、第１ホッパー１から送出の土壌を仮受体４で受け止めて、第２ホッパー２の受け入れ準備ができるのを待つ。
【００３４】
仮受体４は、土壌を受け止める作動姿勢（図１の実線状態）と、土壌の流下を許す待機姿勢（図１の想像線状態）とに変位可能に構成されており、第２ホッパー２の受け入れ準備ができるのと同時に待機姿勢に切り換わって、受け止めた土壌を第２ホッパー２へ落下投入する。図１において、符号２２は偏心ミル１１で調整された分析液の送出通路を開閉する供給弁、２３は分析液を貯留する分析槽、２４はその廃液通路を開閉する排出弁である。
【００３５】
上記構成の分別装置は、図２に示す手順を経て、分別サイクル時間ごとに区切られた土壌群に有害物が含まれるか否かを判定する。
【００３６】
図２（ａ）は、先行する土壌群が第２ホッパー２から排出され、そのゲート９が閉じられ、さらに仮受体４で受け止めた土壌も第２ホッパー２へ投入された状態を示す。この状態における分析装置３は、分析途中状態にあり、第１ホッパー１内の土壌は連続して送出されている。この状態は、図２（ｂ）に示すように、分別サイクル時間分の土壌が第２ホッパー２内に溜まるまで維持される。
【００３７】
分析装置３の分析結果が出るのと同時に、図２（ｃ）に示すように、土壌抽出装置１３を作動位置へ移動させて、サンプル土壌を偏心ミル１１に投入する。同時に、仮受体４を作動姿勢に切り換えて、第１ホッパー１から送出の土壌を仮受体４で受け止める。
【００３８】
第２ホッパー２内の土壌は、分析装置３の分析結果に応じて送出される。図２（ｃ）では、仕切体２１が第２ストックヤード２０側の入り口を塞いで、第２ホッパー２内の土壌が第１ストックヤード１９側へ送出される状態を示す。
【００３９】
図２（ｄ）に示すように、第２ホッパー２内の土壌を送出し終わったら、ゲート９を閉じる。そのまでの間に第１ホッパー１から送出の土壌は、仮受体４で受け止められている。ゲート９を閉じるのと同時に、図２（ａ）に示すように仮受体４を待機姿勢に切り換えて、受け止めていた土壌を第２ホッパー２へ投入する。引き続き第１ホッパー１から送出の土壌は、第２ホッパー２で受け止められる。
【００４０】
以後は、上記の手順を繰り返すことにより、分別サイクル時間ごとに区分された土壌の分別を連続して行うことができる。分別装置の稼動を停止する場合には、第１ホッパー１のゲート８を閉じて土壌の送出を終了する。
【００４１】
本発明の分別装置は、例えば石炭灰、もしくは石炭灰をふくむ土壌が、有害物（重金属）を含むか否かを判定し、汚染土壌と非汚染土壌とに分別する際に適用される。例えば、鉄道の操車場は広大な敷地を占めており、そこには蒸気機関車の燃料であった石炭灰（石炭の燃え殻）が大量に廃棄されて埋め立てられている。そのため、操車場を再開発するような場合には、全ての石炭灰を掘り起こして、有害物の有無を確認したうえで、無害化処理などを施して廃棄する必要があるが、本発明の分別装置で土壌の分別を行うことにより、無害化処理する費用や、埋立処理する費用を著しく減少できる。
【００４２】
（実施例２）  図３ないし図５は本発明に係る土壌分別装置の実施例２を示す。そこでは、第１ホッパー１と、分析装置３および仮受体４と、第２ホッパー２と、仕分け装置５とを記載順に横方向へ配置した。第１ホッパー１と第２ホッパー２との間に、第１ホッパー１から送出の土壌を第２ホッパー２へ移送する第１コンベア２５を配置し、第１コンベア２５の中途部に、土壌抽出装置１３と分析装置３とを配置した。第１コンベア２５の搬送方向終端と第２ホッパー２との間には、仮受体４が配置した。
【００４３】
第２ホッパー２と仕分け装置５との間には、第２ホッパー２から送出の土壌を仕分け装置５へ移送する第２コンベア２６を配置する。図４に示すように、仕分け装置５は正逆転可能なコンベアで構成してあり、その一端下方に第１ストックヤード１９が区画され、他端下方に大２ストックヤード２０が区画されている。
【００４４】
図５において土壌抽出装置１３は、第１コンベア２５の上面上方に配置される導入板３０と、第１コンベア２５の上側走行面の下方に配置されるシュート板３１とからなる。導入板３０は、第１コンベア２５の上側走行面を斜めに横断する想像線の作動姿勢と、第１コンベア２５の上側走行面の外へ退避する実線の待機姿勢とに揺動変位できる。作動姿勢における導入板３０は、第１コンベア２５で運ばれる土壌をせき止めて、偏心ミル１１内にサンプル土壌を投入する。
【００４５】
この実施例２においては、第１コンベア２５上の土壌を導入板３０で抽出した個所を基準にして、この基準個所が第１コンベア２５の終端に達した時点で仮受体４を作動姿勢にし、その後に一定量の土壌を仮受体４で受け止める。
【００４６】
第２コンベア２６には、第２ホッパー２から断続的に土壌が送出されるが、現在搬送中の土壌に有害物を含むか否かは、土壌を第２ホッパー２から送出する時点で既に判っているので、分析装置３の分析結果に応じて仕分け装置５を正転駆動、あるいは逆転駆動することにより、汚染土壌と非汚染土壌とを分別できる。他は先の実施例と同じであるので、同じ部材に同じ符号を付してその説明を省略する。なお、仕分け装置５と、第１・第２のストックヤード１９・２０が区画されたピットは、第２ホッパー２の下方に配置することができ、その場合には第２コンベア２６を省略することができる。
【００４７】
上記の実施例以外に、仮受体４は、ゲートで開閉される出口を備えたホッパー状に構成することができるが、その場合には出口面積を大きくして、受け止めた土壌を速やかに排出できるようにすることが好ましい。
【００４８】
分析装置３の元素分析装置１２は、汚染場所の履歴に応じて別の分析装置を適用することができ、有害な有機化合物の分析や、有害な無機物を分析する分析装置であってもよく、複数の分析装置を併用してもよい。
【図面の簡単な説明】
【００４９】
【図１】実施例１の土壌分別装置を概念的に説明する正面図
【図２】実施例１の土壌分別装置の分別手順を説明する概念図
【図３】実施例２の土壌分別装置を概念的に説明する正面図
【図４】実施例２の仕分け装置の概略平面図
【図５】実施例２の土壌抽出装置の概略平面図
【符号の説明】
【００５０】
１  第１ホッパー
２  第２ホッパー
３  分析装置
４  仮受体
５  仕分け装置
６  制御装置
１１  偏心ミル
１２  元素分析装置
１３  土壌抽出装置
１９  第１ストックヤード
２０  第２ストックヤード
２５  第１コンベア
２６  第２コンベア
【図１】
2006061851.tif 000003
【図２】
2006061851.tif 000004
【図３】
2006061851.tif 000005
【図４】
2006061851.tif 000006
【図５】
2006061851.tif 000007